(57)【要約】 【課題】表示装置の特性に合わせた画像を出力可能な画像処理装置および制御方法を提供する。【解決手段】本発明の画像処理装置は、１以上の表示装置と接続可能な複合機１００である。複合機１００は、取得部１０４と変換部１０６とを備える。取得部１０４は、表示装置の特性を示す第１情報を取得する。変換部１０６は、第１情報に基づいて、画像処理装置が有する入力画像データを、表示装置の特性に合わせた表示用画像データに変換する。【選択図】図３
2014127867.tif 000002
【特許請求の範囲】
【請求項１】
１以上の表示装置と接続可能な画像処理装置であって、
前記表示装置の特性を示す第１情報を取得する取得部と、
前記第１情報に基づいて、前記画像処理装置が有する画像データを示す入力画像データを、前記表示装置の特性に合わせた表示用画像データに変換する変換部と、を備える、
ことを特徴とする画像処理装置。
【請求項２】
前記第１情報と、前記画像処理装置の特性を示す第２情報とに基づいて、前記入力画像データを前記表示用画像データに変換するためのパラメータを示す第３情報を設定する変換設定部を備え、
前記変換部は、前記第３情報に従って、前記入力画像データを前記表示用画像データに変換する、
ことを特徴とする請求項１に記載の画像処理装置。
【請求項３】
前記変換部による変換で得られた前記表示用画像データを前記表示装置へ送信する送信部をさらに備える、
ことを特徴とする請求項１または請求２に記載の画像処理装置。
【請求項４】
入力に応じて、前記変換部による変換の対象となる前記入力画像データの編集を行う編集部をさらに備える、
ことを特徴とする請求項１に記載の画像処理装置。
【請求項５】
前記取得部は、ネットワークを介して前記画像処理装置と接続されたサーバ装置から、前記第１情報を取得する、
ことを特徴とする請求項１に記載の画像処理装置。
【請求項６】
前記取得部は、前記画像処理装置に接続可能な可搬型の記録媒体から、前記第１情報を取得する、
ことを特徴とする請求項１に記載の画像処理装置。
【請求項７】
前記取得部は、ユーザの入力に応じて設定された前記第１情報を取得する、
ことを特徴とする請求項１に記載の画像処理装置。
【請求項８】
前記第１情報を暗号化した暗号化データを解読する解読部をさらに備え、
前記取得部は、前記解読部により解読された前記第１情報を取得する、
ことを特徴とする請求項１に記載の画像処理装置。
【請求項９】
前記表示装置は、画像データをスクリーン上に投影して表示する投影表示装置、または、携帯型の表示装置である、
ことを特徴とする請求項１に記載の画像処理装置。
【請求項１０】
１以上の表示装置と接続可能な画像処理装置の制御方法であって、
前記表示装置の特性を示す第１情報を取得する取得ステップと、
前記第１情報に基づいて、前記画像処理装置が有する画像データを示す入力画像データを、前記表示装置の特性に合わせた表示用画像データに変換する変換ステップと、を含む、
ことを特徴とする制御方法。
【発明の詳細な説明】
【技術分野】
【０００１】
本発明は、画像処理装置および制御方法に関する。
【背景技術】
【０００２】
従来、パーソナルコンピュータ（ＰＣ）をプロジェクタに接続することなく、複合機が有する画像データを、プロジェクタで表示させる技術が知られている（例えば特許文献１）。
【発明の概要】
【発明が解決しようとする課題】
【０００３】
しかしながら、従来技術においては、複合機からプロジェクタに入力される画像は、プロジェクタの表示特性に合わせた画像ではないという問題がある。本発明は、上記に鑑みてなされたものであって、ＰＣを介さずに、表示装置の特性に合わせた画像を出力可能な画像処理装置および制御方法を提供することを目的とする。
【課題を解決するための手段】
【０００４】
上述した課題を解決し、目的を達成するために、本発明は、１以上の表示装置と接続可能な画像処理装置であって、前記表示装置の特性を示す第１情報を取得する取得部と、前記第１情報に基づいて、前記画像処理装置が有する画像データを示す入力画像データを、前記表示装置の特性に合わせた表示用画像データに変換する変換部と、を備えることを特徴とする。
【０００５】
また、本発明は、１以上の表示装置と接続可能な画像処理装置の制御方法であって、前記表示装置の特性を示す第１情報を取得する取得ステップと、前記第１情報に基づいて、前記画像処理装置が有する画像データを示す入力画像データを、前記表示装置の特性に合わせた表示用画像データに変換する変換ステップと、を含むことを特徴とする。
【発明の効果】
【０００６】
本発明によれば、ＰＣを介さずに、表示装置の特性に合わせた画像を出力することができる。
【図面の簡単な説明】
【０００７】
【図１】図１は、実施形態の複合機のハードウェア構成例を示す図である。
【図２】図２は、表示装置のハードウェア構成例を示す図である。
【図３】図３は、複合機の機能構成例を示すブロック図である。
【図４】図４は、表示装置の機能構成例を示すブロック図である。
【図５】図５は、複合機の動作例を示すフローチャートである。
【図６】図６は、複合機の初期化処理の具体的な内容を示すフローチャートである。
【図７】図７は、連携機器確認処理の具体的な内容と示すフローチャートである。
【図８】図８は、ネットワーク接続機器情報リストに新たな表示装置が追加されるときの様子を示す図である。
【図９】図９は、複合機側の初期設定を行うための画面の一例を示す図である。
【図１０】図１０は、第３情報の設定方法の一例を示す図である。
【図１１】図１１は、外部ネットワーク機器情報確認処理の具体的な内容を示すフローチャートである。
【図１２】図１２は、第１情報の取得方法を選択することを促す画面の一例を示す図である。
【図１３】図１３は、インターネット上に公開されている各表示装置の第１情報をダウンロードして取得する場合の例を説明するための図である。
【図１４】図１４は、メディアデータ機器情報確認処理の具体的な内容を示すフローチャートである。
【図１５】図１５は、メディアに格納された各表示装置の第１情報を取得する場合の例を説明するための図である。
【図１６】図１６は、機器情報マニュアル入力処理の具体的な内容を示すフローチャートである。
【図１７】図１７は、マニュアル入力を行うための入力画面の一例を示す図である。
【図１８】図１８は、バーコード機器情報入力処理の具体的な内容を示すフローチャートである。
【図１９】図１９は、カタログのページに印刷されたバーコードを解読して第１情報を取得する場合の例を説明するための図である。
【図２０】図２０は、画像変換処理の一例を示すフローチャートである。
【図２１】図２１は、画像入力時の設定画面の一例を示す図である。
【図２２】図２２は、画像入力時の選択画面の一例を示す図である。
【図２３】図２３は、変換設定処理の一例を示すフローチャートである。
【図２４】図２４は、蓄積画像を再変換するときの様子を模式的に示す図である。
【図２５】図２５は、変換設定部により決定された変換設定情報の表示例を示す図である。
【図２６】図２６は、変換設定部により決定された変換設定情報の表示例を示す図である。
【図２７】図２７は、変換設定情報の入力画面の一例を示す図である。
【図２８】図２８は、変換設定部により決定された変換設定情報の表示例を示す図である。
【図２９】図２９は、編集設定処理の一例を示すフローチャートである。
【図３０】図３０は、編集設定画面の一例を示す図である。
【図３１】図３１は、変換処理の一例を示す図である。
【図３２】図３２は、画像送信処理の一例を示すフローチャートである。
【図３３】図３３は、ページ単位で表示装置へ送信するように送信設定が行われた場合の概念図である。
【図３４】図３４は、文書単位で表示装置へ送信するように送信設定が行われた場合の概念図である。
【図３５】図３５は、全文書を送信するように送信設定が行われた場合の概念図である。
【図３６】図３６は、スペック適応送信するように送信設定が行われた場合の概念図である。
【図３７】図３７は、変換設定情報および対象機器情報などがそれぞれに紐付けられた１以上の蓄積文書が表示される画面の例を示す図である。
【図３８】図３８は、表示装置の動作例を示すフローチャートである。
【図３９】図３９は、表示装置の初期化処理の一例を示すフローチャートである。
【図４０】図４０は、受信処理の一例を示すフローチャートである。
【図４１】図４１は、複合機と表示装置との間のデータ送受信の例を示すシーケンス図である。
【発明を実施するための形態】
【０００８】
以下に添付図面を参照して、本発明に係る画像処理装置および制御方法の実施の形態を詳細に説明する。本実施形態では、画像処理装置の例として、印刷機能、複写機能、スキャナ機能、および、ファクシミリ機能のうちの少なくとも２つの機能を有する複合機（ＭＦＰ：Multifunction  Peripheral）を挙げて説明するが、これに限られるものではない。
【０００９】
図１は、本実施形態の複合機１００のハードウェア構成例を示す図である。複合機１００は、プロジェクタ、タブレット、スマートフォンなどの１以上の表示装置と接続可能であるとともに、インターネットなどのネットワークとも接続可能に構成されている。
【００１０】
図１に示すように、複合機１００は、操作表示部１と、制御装置２と、１次記憶装置３と、２次記憶装置４と、画像入力装置５と、画像出力装置６と、外部通信装置７と、画像変換装置８と、自機スペック情報格納部９と、汎用メディア入出力装置１０と、編集装置１１と、動画変換装置１２と、解読装置１３とを備える。
【００１１】
操作表示部１は、各種の操作入力を行うためのデバイスであるとともに複合機１００に関する情報を表示する。操作表示部１は、例えばタッチパネル方式のディスプレイ装置で構成され得る。
【００１２】
制御装置２は、複合機１００全体の動作を統括的に制御する装置である。制御装置２は、例えばＣＰＵで構成され得る。１次記憶装置３は、揮発性のメモリで構成され、例えば入力された画像を展開する作業領域として機能するとともに、展開された画像データを一時的に保持する記憶領域である。
【００１３】
２次記憶装置４は、不揮発性のメモリで構成され、画像データや、例えばプロジェクタなどの表示装置のスペックや型番／名称等を示す特性情報（請求項の「第１情報」に対応、以下の説明では「第１情報」と表記する場合がある）を保持可能である。後述するように、複合機１００は、表示装置の第１情報を自機スペック情報と照会して、複合機１００が有する入力画像データ（例えば複合機１００が紙資料を読み取ることで得られた画像データ、または、自身に蓄積された画像データ）を、表示装置の特性に合わせた表示用画像データに変換するのに用いる変換パラメータ（請求項の「第３情報」に対応、以下の説明では、「第３情報」と表記する場合がある）を作成することができる。複合機１００は、外部通信装置７を経てインターネットと接続し、表示装置の第１情報をダウンロードすることで取得し、取得済みの第１情報を更新することもできる。
【００１４】
画像入力装置５は、画像入力を行う。例えば画像入力装置５は、スキャナなどの画像読取装置で構成され、画像読取装置で読み取られた紙資料の画像は、入力画像として、１次記憶装置３に送られる。画像出力装置６は、用紙印刷などの出力処理を行う。画像出力装置６は、制御装置２の制御の下、印刷用データを展開して印刷を行う。
【００１５】
外部通信装置７は、外部との通信を行う。具体的には、ＩＥＥ１３９４／ＵＳＢ／ＬＡＮ等のように外部機器とデータやコマンドのやり取りを行う。また、外部通信装置７は、ネットワーク接続を行うこともできる。
【００１６】
画像変換装置８は、画像データの画像フォーマット、解像度、および色合いなどを、所望の状態に変換する。例えばパラメータの設定を変えることで、色調などの変換を行うこともできる。例えば画像変換装置８は、制御装置２の制御の下、作成した第３情報に従って、入力画像データを、表示装置の特性に合わせた表示用画像データに変換することもできる。この変換により得られた表示用画像データは、１次記憶装置３に保持され、制御装置２の制御に応じて、外部通信装置７を介して表示装置へ送信される。
【００１７】
自機スペック情報格納部９は、複合機１００自身のスペック情報（請求項の「第２情報
」に対応、以下の説明では、「第２情報」と表記する場合がある）を格納する。例えばスペック情報として、変換可能な解像度の範囲（変換可能な最小の解像度〜最大の解像度を示す範囲）や変換可能な形式を格納することもできる。
【００１８】
汎用メディア入出力装置１０は、制御装置２の制御の下、汎用メディアへの読み書きを行う。例えばＵＳＢフラッシュメモリやＳＤカードなどへの読み書きを行うことができる。
【００１９】
編集装置１１は、印字／スタンプ／回転／変倍／合成（集約）といった複合機１００のコピー印刷で使用される機能の設定を行う。
【００２０】
動画変換装置１２は、画像変換装置８で作成された画像を動画形式に書き換えることができる。
【００２１】
解読装置１３は、１次記憶装置３に展開された画像データの中から暗号化されたデータを抽出し、抽出した暗号化データを解読することができる。
【００２２】
図２は、複合機１００と接続可能な表示装置２００のハードウェア構成例を示す図である。本実施形態では、複合機１００は、プロジェクタ、タブレット、スマートフォンなどと接続可能であり、以下の説明では、これらを総称して表示装置２００と呼ぶ。図２に示すように、表示装置２００は、操作部２０１と、制御装置２０２と、１次記憶装置２０３と、画像表示装置２０４と、外部通信装置２０５と、自機スペック情報格納部２０６と、汎用メディア入出力装置２０７とを備える。
【００２３】
操作部２０１は、各種の操作入力を行うためのデバイスであり、例えばボタンやキーなどで構成され得る。制御装置２０２は、表示装置２００全体の動作を統括的に制御する装置である。制御装置２０２は、例えばＣＰＵで構成され得る。１次記憶装置２０３は、揮発性のメモリであり、例えば複合機１００から取得した表示用画像データを一時的に保持することもできる。
【００２４】
画像表示装置２０４は、１次記憶装置２０３に保持された表示用画像データを表示する。例えば表示装置２００がプロジェクタなどの投影表示装置の場合、画像表示装置２０４は、表示用画像データをスクリーン上に投影して表示する。また、例えば表示装置２００が、タブレットやスマートフォンなどの携帯型の表示装置の場合、画像表示装置２０４は、タッチパネル方式のディスプレイ装置で構成されてもよい。この場合、ユーザは、画像表示装置２０４に対するタッチ操作により、各種の入力を行うこともできる。
【００２５】
外部通信装置２０５は、外部との通信を行う。具体的には、ＩＥＥ１３９４／ＵＳＢ／ＬＡＮ等のように外部機器とデータやコマンドのやり取りを行う。
【００２６】
自機スペック情報格納部２０６は、表示装置２００自身のスペック情報を格納する。例えばスペック情報として、変換可能な解像度の範囲（変換可能な最小の解像度〜最大の解像度を示す範囲）や変換可能な形式を格納することもできる。なお、詳細なスペックだけでなく、例えば自機の型番、機器名称などを格納することもできる。
【００２７】
汎用メディア入出力装置２０７は、汎用メディアに対するデータの読み込みを行う。例えばＵＳＢフラッシュメモリやＳＤカードに対するデータの読み込みを行うこともできる。
【００２８】
図３は、複合機１００の機能構成例を示すブロック図である。図３に示すように、複合機１００は、受付部１０１と、画像入力処理部１０２と、自機スペック情報設定部１０３と、取得部１０４と、変換設定部１０５と、変換部１０６と、記憶部１０７と、通信部１０８と、送信設定部１０９と、解読部１１０と、編集部１１１とを有する。
【００２９】
受付部１０１はユーザからの各種の入力を受け付ける。画像入力処理部１０２は、入力しようとする画像情報の入力設定を処理する。自機スペック情報設定部１０３は、複合機１００の特性を示す第２情報を設定する。例えば自機スペック情報設定部１０３は、ユーザの入力に応じて、第２情報を設定することもできる。また、例えば第２情報が固定（変更不可能）の場合は、自機スペック情報設定部１０３は、自機スペック情報格納部９から、予め格納された第２情報を取得する。
【００３０】
取得部１０４は、表示装置２００の特性を示す第１情報を取得する。第１情報の取得方法は任意であり、例えばインターネットを介して接続されたサーバ装置からダウンロードすることで取得することもできるし、ＵＳＢフラッシュメモリなどの可搬型の記録媒体から読み出すことで取得することもできる。また、複合機１００は、ユーザの入力に応じて第１情報を設定する機能を有しており、取得部１０４は、ユ−ザの入力に応じて設定された第１情報を取得することもできる。
【００３１】
変換設定部１０５は、変換部１０６による変換に用いられるパラメータを示す変換設定情報を設定する。本実施形態では、変換設定部１０５は、第１情報と、第２情報とに基づいて、複合機１００が有する入力画像データを、表示装置２００の特性に合わせた表示用画像データに変換するためのパラメータを示す第３情報を、変換設定情報として設定する機能を少なくとも有する。例えば表示装置２００のメモリ容量や表示装置２００が行いたい処理情報を得て小さめの画像データを生成するか、あるいは１枚の絵を大きく表示させたいかなどに合わせて、最適な設定値（パラメータの値）を求める。あるいは、ユーザが設定した表示装置２００の特性に合わせた最適化を行うこともできる。
【００３２】
変換部１０６は、表示装置２００の第１情報に基づいて、複合機１００が有する入力画像データを、表示装置２００の特性に合わせた表示用画像データに変換する機能を少なくとも有する。本実施形態では、変換部１０６は、変換設定部１０５により設定された変換設定情報に従って、入力画像データを変換する。例えば変換設定部１０５により、複合機１００が有する入力画像データを、表示装置２００の特性に合わせた表示用画像データに変換するためのパラメータを示す第３情報が、変換設定情報として設定された場合、変換部１０６は、第３情報に従って、入力画像データを表示用画像データに変換する。
【００３３】
通信部１０８は、外部と通信する機能を有する。この例では、通信部１０８は、請求項の「送信部」に対応していると捉えることができる。送信設定部１０９は、画像データの送信設定を行う。送信設定部１０９は、ユーザ設定に合わせて送信するか、表示装置２００側の設定に合わせて送信するかで送信方法（送信設定）を変更する。
【００３４】
解読部１１０は、入力画像データに含まれる、第１情報を暗号化した暗号化データを解読する機能を有する。例えば表示装置２００の第１情報がバーコード化されて用紙に記載されているような場合は、解読部１１０は、スキャナによる読み取りによって得られた紙資料の画像データ（入力画像データ）に含まれる暗号化データ（バーコードに相当するデータ）を解読して、その暗号化データが示す第１情報を得ることができる。
【００３５】
編集部１１１は、入力に応じて、変換部１０６による変換の対象となる入力画像データの編集を行う機能を有する。
【００３６】
本実施形態では、上述の受付部１０１、画像入力処理部１０２、自機スペック情報設定部１０３、取得部１０４、変換設定部１０５、変換部１０６、通信部１０８、送信設定部１０９、解読部１１０、および、編集部１１１の各々の機能は、前述の制御装置２がプログラムを実行することにより実現されるが、これに限らず、例えば上述の受付部１０１、画像入力処理部１０２、自機スペック情報設定部１０３、取得部１０４、変換設定部１０５、変換部１０６、通信部１０８、送信設定部１０９、解読部１１０、および、編集部１１１の各々の機能のうちの少なくとも一部が専用のハードウェア回路で実現されてもよい。また、上述の記憶部１０７は、例えば１次記憶装置３などで実現されてもよい。
【００３７】
図４は、表示装置２００の機能構成例を示すブロック図である。図４に示すように、表示装置２００は、受付部２１１と、設定部２１２と、記憶部２１３と、通信部２１４と、送信設定部２１５と、受信設定部２１６と、表示制御部２１７とを有する。
【００３８】
受付部２１１は、ユーザからの各種の入力を受け付ける。受付部２１１は、例えば表示要求、及び初期設定情報の入力を受け付けることもできる。設定部２１２は、受付部２１１で受け付けた入力に応じて、各種の設定を行う。例えば設定部２１２は、ユーザの入力に応じて、表示装置２００の表示設定を行う。より具体的には、設定部２１２は、ユーザの入力に応じて、ページ単位で受信して表示するか、文書単位で受信して表示するか、あるいは全文書を受信して表示するか、メモリ構成から受信数を制限するかを設定する。また、設定部２１２は、ユーザの入力に応じて、表示を進めたり戻したり、あるいは初期設定として一括で画像データが入力されるような設定を行うこともできる。設定値や設定箇所は表示させ、ユーザがリモコンで操作することもある。
【００３９】
記憶部２１３は、各種のデータを記憶する。例えば記憶部２１３は、表示装置２００の第１情報や各種の設定情報（表示設定を示す情報等）を記憶することもできる。第１情報には、表示装置２００の明るさ（例えばプロジェクタの明るさ）、解像度、対応可能な画像形式、１次記憶が可能な容量などのスペック情報が含まれる。通信部２１４は、外部の装置（例えば複合機１００）と通信を行う。
【００４０】
送信設定部２１５は、送信設定を行う。例えば送信設定部２１５は、設定部２１２による設定（表示設定等）に応じて、送信設定を行うこともできる。例えば送信設定部２１５は、第１情報を送信することを決めることもできるし、初期設定に基づいてどのような画像データが欲しいかを示す情報を送信することを決めることもできるし、画像データを要求する情報を送信することを決めることもできる。
【００４１】
受信設定部２１６は、受信設定を行う。例えば受信設定部２１６は、設定部２１２による設定に応じて、どのような受信を行うかを設定することもできる。例えば複合機１００からの画像データを連続で受信するのか１枚単位で画像データを受信するのかを決めることができる。
【００４２】
表示制御部２１７は、画像データを表示する制御を行う。例えば表示装置２００がプロジェクタの場合、表示制御部２１７は、複合機１００から受け取った画像データをスクリーン上に投影して表示する制御を行う。また、例えば表示装置２００が携帯型の表示装置（例えばタブレットやスマートフォンなど）の場合、複合機１００から受け取った画像データをディスプレイの表示画面に表示する制御を行う。
【００４３】
次に、複合機１００および表示装置２００の動作例を説明する。まず複合機１００の動作例を説明する。図５は、複合機１００の動作例を示すフローチャートである。図５に示すように、まず複合機１００は、初期化処理を行う（ステップＳ１）。次に、複合機１００は、入力画像データを変換する変換処理を行う（ステップＳ２）。次に、複合機１００は、ステップＳ２の変換処理により得られた画像データを接続先の表示装置２００へ送信する処理（画像送信処理）を行う（ステップＳ３）。以下、より具体的に説明する。
【００４４】
図６は、ステップＳ１の初期化処理の具体的な内容を示すフローチャートである。まず、複合機１００は、複合機１００の初期設定を行うことを選択する入力を受け付けたか否かを確認する（ステップＳ１０）。初期設定を行うことを選択する入力を受け付けた場合（ステップＳ１０：ＹＥＳ）、複合機１００は、連携機器確認処理を実行する（ステップＳ１１）。
【００４５】
図７は、上述のステップＳ１１の連携機器確認処理の具体的な内容を示すフローチャートである。図７に示すように、まず通信部１０８は、連携機器との通信を確認する（ステップＳ１００）。この例では、通信部１０８は、ネットワークやＵＳＢ／ＩＥＥＥ１３９４等を介して、１以上の表示装置２００と接続されており、その１以上の表示装置２００との通信が可能であるかを確認する。また、この例では、図８に示すように、複合機１００の内部（例えば記憶部１０７）には、複合機１００との通信が確立している表示装置２００の一覧を示すネットワーク接続機器情報が格納されており、複合機１００が初期化処理を実行しているときに、ネットワーク上に新しい表示装置２００（図８の例ではプロジェクタＢ）との通信が確立されると、新たに接続された表示装置２００を識別する情報が、ネットワーク接続機器情報に追加されていく。
【００４６】
再び、図７に戻って説明を続ける。上述のステップＳ１００において、複合機１００が１以上の表示装置２００と通信可能であることが確認された場合、取得部１０４は、複合機１００に接続された１以上の表示装置２００の各々に対して、当該表示装置２００の特性（スペック等）を示す第１情報、および、当該表示装置２００の表示設定を示す情報を要求する（ステップＳ１０１）。そして、その要求に対する応答として、第１情報および表示設定を示す情報を表示装置２００から受信（取得）する（ステップＳ１０２）。
【００４７】
次に、送信設定部１０９は、送信設定を行う（ステップＳ１０３）。より具体的には、送信設定部１０９は、ページ単位で表示装置２００に表示させるために１ページ単位で送信していくか、文書単位で表示装置２００に表示させるために文書単位で送信するか、全文書送信するか、あるいは送信前に全データが表示装置２００のメモリに格納できるように変換した上で全データを送信（スペック適応送信）するかを設定する。ここでは、送信設定部１０９は、表示装置２００側の表示設定に応じて、送信設定を行う。
【００４８】
次に、自機スペック情報設定部１０３は、複合機１００自身の特性を示す第２情報を設定する（ステップＳ１０４）。
【００４９】
この例では、自機スペック情報設定部１０３は、ユーザの入力に応じて第２情報を設定する。より具体的には、初期設定を行うことを選択する入力を受け付けた場合、図９に示すように、操作表示部１には、複合機１００側の初期設定を行うための画面が表示され、ユーザは、この画面を見ながら、複合機１００の第２情報を指定する情報を入力することができる。図９の例では、第２情報として、画像の解像度、画像の形式、画像の向きが例示されているが、これに限られるものではない。また、本実施形態では、送信設定部１０９は、ユーザの入力に応じて、送信設定を行う機能も有する。
【００５０】
再び図７に戻って説明を続ける。変換設定部１０５は、複合機１００に接続された１以上の表示装置２００ごとに、ステップＳ１０２で受信した第１情報と、ステップＳ１０４で設定した第２情報とに基づいて、複合機１００が有する入力画像データを、表示装置２００の特性に合わせた表示用画像データに変換するのに用いられるパラメータを示す第３情報を設定する（ステップＳ１０５）。図１０は、第３情報の設定方法の例を示す概念図である。変換設定部１０５は、複合機１００側の自機スペックのメモリ、解像度、変換画像形式、動画形式といった複合機１００の特性を示す第１情報と、表示装置２００側のメモリ、アスペクト比、画像の明るさ、静的画像形式、動画形式といった表示装置２００の特性を示す第２情報とを照会することで、最適な変換設定（入力画像データを、表示装置２００の特性に合わせた表示用画像データに変換するためのパラメータ）を示す第３情報を求めることができる。
【００５１】
再び図７に戻って説明を続ける。前述のステップＳ１０５の後、変換設定部１０５は、複合機１００に接続された１以上の表示装置２００ごとに、ステップＳ１０３で設定した送信設定と、ステップＳ１０５で設定した第３情報と、当該表示装置２００を識別する識別情報とを対応付けた（紐付けた）情報を、初期登録情報として記憶部１０７に登録する（ステップＳ１０６）。以上が、図６のステップＳ１１の連携機器確認処理の具体的な内容である。
【００５２】
再び図６に戻って説明を続ける。上述のステップＳ１１の後、複合機１００は、外部ネットワーク機器情報確認処理を行う（ステップＳ１２）。図１１は、上述のステップＳ１２の外部ネットワーク機器情報確認処理の具体的な内容を示すフローチャートである。図１１に示すように、まず取得部１０４は、インターネット接続を介して表示装置２００の第１情報を取得することを指示する入力を受け付けたか否かを確認する（ステップＳ１１０）。この例では、図１２に示すように、取得部１０４は、第１情報の取得方法を選択することを促す画面を操作表示部１に表示する制御を行い、ユーザは、この画面を見ながら、第１情報の取得方法を指示（選択）する入力を行うことができる。
【００５３】
再び図１１に戻って説明を続ける。インターネット接続を介して表示装置２００の第１情報を取得することを指示する入力を受け付けたことを確認した場合（ステップＳ１１０：ＹＥＳ）、取得部１０４は、通信部１０８に対して、外部のサーバ装置との間のインターネットを介した通信接続を確立することを指示する（ステップＳ１１１）。外部サーバ装置との間のインターネットを介した通信接続が確立した後、取得部１０４は、外部サーバ装置内に、複合機１００と接続された表示装置２００の第１情報が格納されているか否かを判断する（ステップＳ１１２）。複合機１００と接続された表示装置２００の第１情報が格納されていないと判断した場合（ステップＳ１１２：ＮＯ）、処理は終了する。一方、複合機１００と接続された表示装置２００の第１情報が格納されていると判断した場合（ステップＳ１１２：ＹＥＳ）、取得部１０４は、外部サーバ装置に対して、当該第１情報を要求する（ステップＳ１１３）。そして、その要求に対する応答として、第１情報を外部サーバ装置から受信（取得）する（ステップＳ１１４）。
【００５４】
例えば図１３に示すように、取得部１０４は、インターネット上で公開されている、複合機１００に接続された１以上の表示装置２００（スマートフォンＡ、タブレットＢ等）の各々のスペック情報（第１情報）を、ダウンロードして取得することができる。例えば発売元企業のＨＰ、あるいは対応可能一覧を集めているサイトにアクセスすることで、そこに展開されている表示装置２００のスペック情報（第１情報）をダウンロードして取得することができる。このときのダウンロードデータとしては、例えばｘｍｌ／ｃｓｖといったデータ構造体にスペック情報（第１情報）が記載されている。
【００５５】
再び図１１に戻って説明を続ける。次に、送信設定部１０９は、送信設定を行い（ステップＳ１１５）、自機スペック情報設定部１０３は、複合機１００自身の特性を示す第２情報を設定する（ステップＳ１１６）。次に、変換設定部１０５は、ステップＳ１１４で取得した第１情報と、ステップＳ１１６で設定した第２情報とに基づいて、第３情報を設定する（ステップＳ１１７）。変換設定部１０５は、ステップＳ１１５で設定した送信設定と、ステップＳ１１７で設定した第３情報と、表示装置２００を識別する識別情報とを対応付けた（紐付けた）情報を、初期登録情報として記憶部１０７に登録する（ステップＳ１１８）。上述のステップＳ１１５〜ステップＳ１１８の内容は、図７に示すステップＳ１０３〜ステップＳ１０６の内容と同様である。以上が、図６のステップＳ１２の外部ネットワーク機器情報確認処理の具体的な内容である。
【００５６】
再び図６に戻って説明を続ける。上述のステップＳ１２の後、複合機１００は、メディアデータ機器情報確認処理を行う（ステップＳ１３）。図１４は、上述のステップＳ１３のメディアデータ機器情報確認処理の具体的な内容を示すフローチャートである。図１４に示すように、まず取得部１０４は、複合機１００に挿入されたメディアから表示装置２００の第１情報を取得することを指示する入力を受け付けたか否かを確認する（ステップＳ１２０）。メディアから表示装置２００の第１情報を取得することを指示する入力を受け付けたことを確認した場合（ステップＳ１２０：ＹＥＳ）、取得部１０４は、メディアにアクセスして、当該メディア内に、複合機１００と接続された表示装置２００の第１情報が格納されたファイルが存在するか否かを確認する（ステップＳ１２１）。複合機１００と接続された表示装置２００の第１情報が格納されたファイルが存在しないと判断した場合（ステップＳ１２１：ＮＯ）、処理は終了する。一方、複合機１００と接続された表示装置２００の第１情報が格納されたファイルが存在すると判断した場合（ステップＳ１２１：ＹＥＳ）、取得部１０４は、そのファイルにアクセスしてファイル内の第１情報を取得する（ステップＳ１２２）。
【００５７】
例えば図１５に示すように、取得部１０４は、複合機１００に挿入されたＵＳＢフラッシュメモリ内に、複合機１００と接続されたスマートフォンＡの第１情報が格納されたファイル、および、タブレットＢの第１情報が格納されたファイルが存在する場合、各ファイルにアクセスして、当該ファイルに格納された第１情報を取得することができる。
【００５８】
図１４に戻って説明を続ける。次に、送信設定部１０９は、送信設定を行い（ステップＳ１２３）、自機スペック情報設定部１０３は、複合機１００自身の特性を示す第２情報を設定する（ステップＳ１２４）。次に、変換設定部１０５は、ステップＳ１２２で取得した第１情報と、ステップＳ１２４で設定した第２情報とに基づいて、第３情報を設定する（ステップＳ１２５）。変換設定部１０５は、ステップＳ１２３で設定した送信設定と、ステップＳ１２５で設定した第３情報と、表示装置２００を識別する識別情報とを対応付けた（紐付けた）情報を、初期登録情報として記憶部１０７に登録する（ステップＳ１２６）。上述のステップＳ１２３〜ステップＳ１２６の内容は、図７に示すステップＳ１０３〜ステップＳ１０６の内容と同様である。以上が、図６のステップＳ１３のメディアデータ機器情報確認処理の具体的な内容である。
【００５９】
再び図６に戻って説明を続ける。上述のステップＳ１３の後、複合機１００は、機器情報マニュアル入力処理を行う（ステップＳ１４）。図１６は、上述のステップＳ１４の機器情報マニュアル入力処理の具体的な内容を示すフローチャートである。図１６に示すように、まず取得部１０４は、マニュアル入力により第１情報を取得することを指示する入力を受け付けたか否かを確認する（ステップＳ１３０）。マニュアル入力により第１情報を取得することを指示する入力を受け付けたことを確認した場合（ステップＳ１３０：ＹＥＳ）、取得部１０４は、マニュアル入力を行うための入力画面を操作表示部１に表示する制御を行う（ステップＳ１３１）。そして、ユーザの入力に応じて、第１情報が設定され（ステップＳ１３２）、取得部１０４は、このユーザの入力に応じて複合機１００側で設定された第１情報を取得する。
【００６０】
図１７は、上述のマニュアル入力を行うための入力画面の一例を示す図である。例えばユーザは、カタログを参照することで、複合機１００に接続されたタブレットＢのスペック情報（第１情報）を得て、そのスペック情報を入力画面上で入力することもできる。
【００６１】
図１６に戻って説明を続ける。次に、送信設定部１０９は、送信設定を行い（ステップＳ１３３）、自機スペック情報設定部１０３は、複合機１００自身の特性を示す第２情報を設定する（ステップＳ１３４）。次に、変換設定部１０５は、ステップＳ１３２で取得した第１情報と、ステップＳ１３４で設定した第２情報とに基づいて、第３情報を設定する（ステップＳ１３５）。変換設定部１０５は、ステップＳ１３３で設定した送信設定と、ステップＳ１３５で設定した第３情報と、表示装置２００を識別する識別情報とを対応付けた（紐付けた）情報を、初期登録情報として記憶部１０７に登録する（ステップＳ１３６）。上述のステップＳ１３３〜ステップＳ１３６の内容は、図７に示すステップＳ１０３〜ステップＳ１０６の内容と同様である。以上が、図６のステップＳ１４の機器情報マニュアル入力処理の具体的な内容である。
【００６２】
再び図６に戻って説明を続ける。上述のステップＳ１４の後、複合機１００は、バーコード機器情報入力処理を行う（ステップＳ１５）。図１８は、上述のステップＳ１５のバーコード機器情報入力処理の具体的な内容を示すフローチャートである。図１８に示すように、まず取得部１０４は、バーコード入力により第１情報を取得することを指示する入力を受け付けたか否かを確認する（ステップＳ１４０）。バーコード入力により第１情報を取得することを指示する入力を受け付けたことを確認した場合（ステップＳ１４０：ＹＥＳ）、取得部１０４は、画像の入力が行われたか否かを確認する（ステップＳ１４１）。例えばユーザがカタログなどに印刷されている２次元バーコードを読み込ませるために、その２次元バーコードが印刷されているページをスキャナに読み取らせた場合、スキャナにより読み取られたページの画像が入力される。この例では、２次元バーコードは、複合機１００に接続された表示装置２００のスペック情報（第１情報）を暗号化したものである。このような画像の入力が行われた場合（ステップＳ１４１：ＹＥＳ）、解読部１１０は、スキャナが、２次元バーコードが印刷されたカタログのページを読み取ることで得られた入力画像データに含まれる暗号化データ（２次元バーコードに相当するデータ）を解読し（ステップＳ１４２）、その２次元バーコードが示す第１情報を得る。解読部１１０は、入力画像データに含まれる暗号化データを解読して得た第１情報を取得部１０４へ渡す。これにより、取得部１０４は、第１情報を取得する。
【００６３】
例えば図１９に示すように、ユーザが、複合機１００に接続されたタブレットＢのスペック情報（第１情報）が記載されたカタログの所定のページを複合機１００に読み込ませることで、当該所定のページの画像が入力されると、解読部１１０が、当該所定のページの画像データ（入力画像データ）に含まれる、２次元バーコードに相当する暗号化データを抽出し、抽出した暗号化データを解読することで、２次元バーコードで暗号化されていたタブレットＢのスペック情報を得ることができる。
【００６４】
図１８に戻って説明を続ける。次に、送信設定部１０９は、送信設定を行い（ステップＳ１４３）、自機スペック情報設定部１０３は、複合機１００自身の特性を示す第２情報を設定する（ステップＳ１４４）。次に、変換設定部１０５は、ステップＳ１４２で取得した第１情報と、ステップＳ１４４で設定した第２情報とに基づいて、第３情報を設定する（ステップＳ１４５）。変換設定部１０５は、ステップＳ１４３で設定した送信設定と、ステップＳ１４５で設定した第３情報と、表示装置２００を識別する識別情報とを対応付けた（紐付けた）情報を、初期登録情報として記憶部１０７に登録する（ステップＳ１４６）。上述のステップＳ１４３〜ステップＳ１４６の内容は、図７に示すステップＳ１０３〜ステップＳ１０６の内容と同様である。以上が、図６のステップＳ１５のバーコード機器情報入力処理の具体的な内容である。バーコード機器情報入力処理が終了すると、図５に示すステップＳ１の初期化処理は終了する。
【００６５】
再び図５に戻って説明を続ける。上述のステップＳ１の初期化処理の後、複合機１００は、画像変換処理を行う（ステップＳ２）。図２０は、ステップＳ２の画像変換処理の具体的な内容を示すフローチャートである。図２０に示すように、まず複合機１００は、紙資料からの画像入力が行われるか否か（スキャナによる紙資料の画像の読み取りが行われるか否か）を判断する（ステップＳ２０）。この例では、画像の入力が行われる場合は、図２１のような設定画面が操作表示部１に表示され、ユーザは、その設定画面上で、入力する画像のサイズ、入力時の画像の向きと、明るさの設定と、入力するページ数とを入力することもできる。また、複合機１００は、多種多用な設定が可能なので、図２２に示すように、入力時にコピー／スキャナ／Ｆａｘ／プロジェクタ用のうちのいずれかを選択することを促す選択画面が操作表示部１に表示され、ユーザの選択入力に応じて、入力画像を決定することもできる。
【００６６】
再び図２０に戻って説明を続ける。ステップＳ２０において、紙資料からの画像入力が行われると判断した場合（ステップＳ２０：ＹＥＳ）、画像入力処理部１０２は、用紙に対応した入力画像設定を行う（ステップＳ２１）。この例では、画像入力処理部１０２は、フルカラー／モノクロや用紙サイズの設定を行う。一方、紙資料からの画像入力が行われないと判断した場合（ステップＳ２０：ＮＯ）、複合機１００は、自身が保有済みの画像を示す蓄積画像の中から、変換部１０６による変換の対象となる画像を選択することを促す画面を操作表示部１に表示し、ユーザの選択入力に応じて、変換の対象となる蓄積画像を選択する（ステップＳ２２）。以上のステップＳ２１またはステップＳ２２の後、処理はステップＳ２３に移行する。
【００６７】
ステップＳ２３において、複合機１００は変換部１０６による変換に用いられる変換設定情報を設定する変換設定処理を行う（ステップＳ２３）。図２３は、変換設定処理の一例を示すフローチャートである。図２３に示すように、まず変換設定部１０５は、変換部１０６による変換の対象となる画像（入力画像データ）が蓄積画像であるか否かを判断する（ステップＳ２０１）。変換の対象となる画像が蓄積画像であると判断した場合（ステップＳ２０１：ＹＥＳ）、変換設定部１０５は、変換の対象となる画像が表示装置（例えばプロジェクタ）用に変換されていない画像（複合機１００に接続された表示装置２００の特性に合わせた変換が行われていない画像）であるか否かを判断する（ステップＳ２０２）。表示装置用に変換済みの画像（変換画像）であると判断した場合（ステップＳ２０２：ＮＯ）、変換設定部１０５は、その変換画像を再度変換するか否かを選択する（ステップＳ２０３）。再変換することを選択した場合は（ステップＳ２０３：ＹＥＳ）、変換画像を復号する復号処理を行う（ステップＳ２０４）。一方、再変換しないことを選択した場合は（ステップＳ２０３：ＮＯ）、ステップＳ２０５に進み、変換部１０６による変換を行わない設定とする（ステップＳ２０５）。
【００６８】
一方、上述のステップＳ２０２において、表示装置用に変換済みの画像（変像）ではないと判断した場合（ステップＳ２０２：ＹＥＳ）、変換設定部１０５は、変換設定情報を決定する（ステップＳ２０６）。より具体的には以下のとおりである。変換設定処理を行う場合、変換設定部１０５は、図２４に示すような、変換ケースの選択を促す画面を操作表示部１に表示する制御を行う。図２４の例では、変換ケースの候補として、ネットワークを介して複合機１００と接続されたプロジェクタＡまたはプロジェクタＢの各々の特性に合わせた表示用画像データに変換するための第３情報を、変換設定情報として選択することを示す選択肢と、複合機１００側で予め設定されたデフォルトの変換設定情報を選択することを示す選択肢と、手動で変換設定情報を設定することを示す選択肢とが例示されている。
【００６９】
例えばネットワークを介して複合機１００と接続されたプロジェクタＢを選択する入力（図２４に示す「プロジェクタＢ」のアイコンを選択する入力）を受け付けた場合、変換設定部１０５は、記憶部１０７に登録された１以上の初期登録情報の中から、プロジェクタＡを識別する識別情報を含む初期登録情報を読み出し、読み出した初期登録情報に含まれる第３情報を、変換設定情報として決定する。つまり、選択されたプロジェクタＢに対応付けられた第３情報を、変換設定情報として決定する。そして、図２５に示すように、プロジェクタＢに対応付けられた第３情報（プロジェクタＢの特性に合わせた表示用画像データに変換するためのパラメータ）の内容が操作表示部１に表示される。なお、動画にしたい場合は、ここで選択することもできる。プロジェクタＡが選択された場合についても同様に考えることができる。
【００７０】
図２４に戻って説明を続ける。例えばデフォルトの変換設定情報を選択する入力（図２４に示す「ｄｅｆａｕｌｔ」のアイコンを選択する入力）を受け付けた場合、変換設定部１０５は、複合機１００側で予め設定されたデフォルトの変換設定情報を、変換部１０６による変換に用いる変換設定情報として決定する。そして、図２６に示すように、デフォルトの変換設定情報の内容が操作表示部１に表示される。
【００７１】
再び図２４に戻って説明を続ける。次に、手動で変換設定情報を設定することを選択する入力を受け付けた場合を想定する。この場合は、送信設定も手動で設定することになる。例えば図２４に示す「ｍａｎｕаｌ」のアイコンを選択する入力を受け付けた場合、図２７に示すように、変換設定情報および送信設定の入力を促す画面が表示され、変換設定部１０５は、ユーザの入力に応じて変換設定情報を設定する。また、このとき、送信設定部１０９は、ユーザの入力に応じて送信設定を行う。
【００７２】
また、例えば図２４に示す「ＴｙｐｅＡ」のアイコンを選択する入力を受け付けた場合、予め複合機１００側で設定済みの複数の変換設定情報の候補の中から何れかを選択することを促す画面が操作表示部１に表示され、変換設定部１０５は、ユーザにより選択された候補を、変換設定情報として決定する。また、このとき、送信設定の入力を促す画面も表示され、送信設定部１０９は、ユーザの入力に応じて送信設定を行う。そして、図２８に示すように、決定された変換設定情報および送信設定の内容が操作表示部１に表示される。
【００７３】
以上のようにして、変換設定部１０５は、変換設定情報を設定する。以上が、図２０のステップＳ２３の変換設定処理の具体的な内容である。
【００７４】
再び図２０に戻って説明を続ける。上述のステップＳ２３の後、複合機１００は編集設定処理を行う（ステップＳ２４）。図２９は、編集設定処理の一例を示すフローチャートである。図２９に示すように、まず編集部１１１は、入力画像データに対して、変換部１０６による変換が行われるのか否かを確認する（ステップＳ２１０）。変換部１０６による変換が行われないと判断した場合（ステップＳ２１０：ＮＯ）、処理は終了する。一方、変換部１０６による変換が行われると判断した場合（ステップＳ２１０：ＹＥＳ）、編集部１１１は、図３０に示すような編集設定画面を表示する制御を行う（ステップＳ２１１）。
【００７５】
そして、編集部１１１は、ユーザの入力に応じて、入力画像データの編集を行う（ステップＳ２１２）。例えば印字の設定入力を受け付けた場合、編集部１１１は、受け付けた入力に応じて、日付やページ数の印字設定を行う。また、例えばスタンプの設定入力を受け付けた場合、編集部１１１は、受け付けた入力に応じて、スタンプデータの設定を行う。また、例えば集約の設定入力を受け付けた場合、編集部１１１は、受け付けた入力に応じて、集約設定を行う。また、例えば集約の設定入力を受け付けた場合、編集部１１１は、受け付けた入力に応じて、集約設定を行う。また、例えばセンタリングの設定入力を受け付けた場合、編集部１１１は、受け付けた入力に応じて、センタリングを行う。
【００７６】
また、例えば回転の設定入力を受け付けた場合、編集部１１１は、受け付けた入力に応じて、回転設定を行う。図３０の編集設定画面において「回転指定」のアイコンを選択すると、９０／１８０／２７０度のように９０度単位で回転角を指定することができる。さらに、例えば変倍の設定入力を受け付けた場合、編集部１１１は、受け付けた入力に応じて、変倍設定を行う。図３０の編集設定画面において「倍率指定」のアイコンを選択すると、別画面が表示され、数字を入力することで所望の倍率に設定することができる。ただし、上述の「ｍａｎｕａｌ」以外の変換ケースが選択された場合は、回転／変倍は強制的に自動設定で設定される。また、例えばデフォルトの設定値が仮に２００ｄｐｉで、複合機１００の自機スペックの入力解像度が６００ｄｐｉの場合は、変倍は３３．３％に設定される。回転は、読めない方向で入力された画像に対して読める向きに合わせるように回転する。
【００７７】
以上が、図２０のステップＳ２４の編集設定処理の具体的な内容である。再び図２０に戻って説明を続ける。上述のステップＳ２４の後、複合機１００は、ステップＳ２３で設定した変換設定情報に従って、入力画像データを変換する変換処理を行う（ステップＳ２５）。図３１は、変換処理の一例を示すフローチャートである。図３１に示すように、まず変換部１０６は、入力画像データの変換を行うかどうかを確認する（ステップＳ２２０）。変換を行わない場合（ステップＳ２２０：ＮＯ）、処理は終了する。一方、変換を行う場合（ステップＳ２２０：ＹＥＳ）、上述の変換設定処理で設定された変換設定情報に従って、入力画像データを変換する（ステップＳ２２１）。以下の説明では、変換部１０６により変換された画像データを変換画像データと呼ぶ場合がある。次に、変換部１０６は、動画変換を行うかどうかを確認する（ステップＳ２２２）。動画変換を行わない場合（ステップＳ２２２：ＮＯ）、処理は終了する。一方、動画変換を行う場合（ステップＳ２２２：ＹＥＳ）、変換設定情報で設定された秒数に合わせて画像を動画データに変換する（ステップＳ２２３）。
【００７８】
以上が、図２０のステップＳ２５の変換処理の具体的な内容である。再び図２０に戻って説明を続ける。上述のステップＳ２５の後、複合機１００は、変換画像データと、変換設定情報と、対象機器情報（変換画像データの出力先となる表示装置２００を識別する情報）とを対応付けて（紐付けて）記憶部１０７等に登録する（ステップＳ２６）。次に、複合機１００は、変換の対象となる全ての画像の変換が終了したか否かを判断する（ステップＳ２７）。変換が終了したと判断した場合（ステップＳ２７：ＹＥＳ）、変換された画像はプロジェクタ対応画像として記録し（ステップＳ２８）、処理（図５に示すステップＳ２の画像変換処理）を終了する。一方、変換が終了していないと判断した場合（ステップＳ２７：ＮＯ）、上述のステップＳ２０以降の処理を繰り返す。
【００７９】
再び図５に戻って説明を続ける。上述のステップＳ２の画像変換処理の後、複合機１００は、画像送信処理を行う（ステップＳ３）。図３２は、ステップＳ２の画像変換処理の具体的な内容を示すフローチャートである。図３２に示すように、まず送信設定部１０９は、図２３のステップＳ２０６において選択された変換ケースに応じて、送信設定を決定する（ステップＳ２３０）。例えば複合機１００に接続された表示装置２００の特性に合わせた変換ケースが選択された場合は、記憶部１０７に登録された初期登録情報のうち当該表示装置２００の識別情報を含む初期登録情報を抽出し、抽出した初期登録情報に含まれる送信設定を特定する。そして、特定した送信設定の内容を採用することを決定する。また、例えば複合機１００側の変換ケースが選択された場合は、送信設定部１０９は、複合機１００側で予め設定されたデフォルトの送信設定の内容を採用することを決定する。さらに、例えば手動対応の変換ケースが選択された場合は、送信設定部１０９は、ユーザの入力に応じて設定した送信設定の内容を採用することを決定する。
【００８０】
次に、通信部１０８は、複合機１００と接続された表示装置２００に対して、画像データの送信を通知した後、ステップＳ２３０で設定された送信設定の内容を通知し（ステップＳ２３１）、変換処理により得られた画像データの送信を開始する（ステップＳ２３２）。通信部１０８は、送信の途中で、表示装置２００から送信して欲しい画像の要求があるか否かを確認し（ステップＳ２３３）、要求があった場合は（ステップＳ２３３：ＹＥＳ）、表示装置２００から指定された画像を送信する（ステップＳ２３４）。要求が無く（ステップＳ２３３：ＮＯ）、画像データの送信が完了したと判断した場合（ステップＳ２３５：ＹＥＳ）、処理は終了する。画像データの送信が完了していないと判断された場合（ステップ２３５：ＮＯ）、上述のステップＳ２３３以降の処理が繰り返される。
【００８１】
図３３は、ページ単位で表示装置（図３３の例ではプロジェクタ）２００に表示させるために１ページ単位で送信するように送信設定が行われた場合の概念図である。図３３に示すように、複合機１００からは１ページ単位で送信を行う。表示装置（プロジェクタ）２００側は、場合によっては、順次に２ページ目を要求するのではなく、飛ばして４ページ目を要求することもあり、その要求に従って複合機１００は指定されたページを送信する。
【００８２】
図３４は、文書単位で表示装置２００に表示させるために文書単位で送信するように送信設定が行われた場合の概念図である。図３４に示すように、複合機１００からは文書単位で送信を行う。表示装置（プロジェクタ）２００側は、１文書の範囲であれば表示装置２００内部でページ切り替えを行い、次の文書の表示を必要とする場合は、次の文書のデータ要求を行う。
【００８３】
図３５は、全文書を送信するように送信設定が行われた場合の概念図である。図３５に示すように、複合機１００からは選択された文書全てを送信する。表示装置（プロジェクタ）２００側はメモリ上に載せられる分だけ載せて表示を行う。載せられなかった分への要求が発生したら、メモリ上のデータを削除して空きを作り、再受信する。削除方式は、表示装置（プロジェクタ）２００側で設定が可能になる。最初に格納されたデータを削除して受信するか、あるいは最後の格納されたデータを削除して受信するか選択することができる。同様に、文書単位で送信する送信設定の場合においても、表示装置２００は、メモリに入らなかった分の再送信を要求することもできる。
【００８４】
図３６は、スペック適応送信するように送信設定が行われた場合の概念図である。図３６に示すように、送信前に全データが表示装置（プロジェクタ）２００のメモリに格納できるように変換されているので、全データ送信を行う。表示装置（プロジェクタ）２００側に全データがあるので、表示装置（プロジェクタ）２００側でページの切り替えを行うことができる。
【００８５】
また、例えば複合機１００は、図３７に示すように、変換設定情報および対象機器情報などがそれぞれに紐付けられた１以上の蓄積文書（上述の画像変換処理により得られた、記憶部１０７に登録済みの画像データ）を表示し、ユーザにより選択された蓄積文書を、当該文書に紐付けられた対象機器情報により特定される表示装置２００へ送信することもできる。見方を変えれば、複合機１００は、複合機１００に接続された１以上の表示装置２００ごとに、当該表示装置２００を識別する識別情報と、変換設定情報とを少なくとも対応付けて操作表示部１に表示する制御を行う機能（表示制御部）を有している。これにより、ユーザは、複合機１００に接続された表示装置２００が最適化されているか否かを即時に判断できる。
【００８６】
以上、複合機１００の動作例について詳細に説明した。次に、表示装置２００の動作例を説明する。図３８は、表示装置２００の動作例を示すフローチャートである。図３８に示すように、まず表示装置２００は、初期化処理を行う（ステップＳ４）。次に、表示装置２００は、複合機１００から画像データを受信する受信処理を行う（ステップＳ５）。以下、より具体的に説明する。
【００８７】
図３９は、図３８に示すステップＳ４の初期化処理の具体的な内容を示すフローチャートである。まず、表示装置２００は、表示装置２００の初期設定を行うことを選択する入力を受け付けたか否かを確認する（ステップＳ３００）。初期設定を行うことを選択する入力を受け付けた場合（ステップＳ３００：ＹＥＳ）、設定部２１２は、ユーザの入力に応じて、表示装置２００の表示設定を行う(ステップＳ３０１)。
【００８８】
次に、通信部２１４は、通信設定を行う（ステップＳ３０２）。ここでは、ネットワークを介して、他の機器（複合機１００等）との接続や通信がなされていることを確認する。次に、通信部２１４は、複合機１００と接続されており、通信可能であるか否かを確認する（ステップＳ３０３）。複合機１００と通信可能であると判断した場合（ステップＳ３０３：ＹＥＳ）、通信部２１４は、複合機１００から、表示装置２００の特性を示す第１情報、および、表示設定の要求を受信したか否かを確認する（ステップＳ３０４）。第１情報および表示設定の要求を受信した場合（ステップＳ３０４：ＹＥＳ）、通信部２１４は、記憶部２１３に登録された第１情報および表示設定を、複合機１００に送信する（ステップＳ３０５）。そして、表示装置２００は、表示設定と、表示装置２００と接続された複合機１００を識別する複合機識別情報とを対応付けて記憶部２１３に登録する（ステップＳ３０６）。以上が、図３８に示すステップＳ４の初期化処理の具体的な内容である。
【００８９】
再び図３８に戻って説明を続ける。上述のステップＳ４の初期化処理の後、表示装置２００は受信処理を行う（ステップＳ５）。図４０は、図３８に示すステップＳ５の受信処理の具体的な内容を示すフローチャートである。まず、通信部２１４は、複合機１００から画像データの送信通知を受信したか否かを確認する（ステップＳ３１０）。画像データの送信通知を受信した場合（ステップＳ３１０：ＹＥＳ）、通信部２１４は、複合機１００から、送信設定の内容通知を受信したか否かを確認する（ステップＳ３１１）。送信設定の内容通知を受信した場合（ステップＳ３１１：ＹＥＳ）、受信設定部２０４は、複合機１００から通知された送信設定の内容が、ページ単位で送信する設定、文書単位で送信する設定、および、全文書で送信する設定のうちの何れかの送信設定であるか否かを確認する（ステップＳ３１２）。
【００９０】
複合機１００から通知された送信設定の内容が、ページ単位で送信する設定、文書単位で送信する設定、および、全文書で送信する設定のうちの何れかの送信設定である場合（ステップＳ３１２：ＹＥＳ）、受信設定部２１６は、複合機１００から通知された送信設定の内容に応じた受信設定を行う。そして、通信部２１４は、受信データを保存するメモリ（例えば記憶部２１３）に空きがあるかどうかを確認する（ステップＳ３１３）。メモリに空きがある場合（ステップＳ３１３：ＹＥＳ）、通信部２１４は、複合機１００から送信される画像データの受信を行う（ステップＳ３１４）。この例では、通信部２１４は、複合機１００に対して、表示装置２００側で必要な画像を要求することもできる。そして、通信部２１４は、データ受信を終了したか否かを確認し（ステップＳ３１５）、データ受信を終了していない場合（ステップＳ３１５：ＮＯ）、上述のステップＳ３１３以降の処理が繰り返される。
【００９１】
一方、上述のステップＳ３１５において、データ受信を終了した場合（ステップＳ３１５：ＹＥＳ）、表示制御部２１７は、ユーザにより指定された画像を表示する制御を行う（ステップＳ３１６）。次に、表示制御部２１７は、ユーザにより指定された画像を表示する要求（表示要求）を受け付けたか否かを確認する（ステップＳ３１７）。表示要求を受け付けていない場合（ステップＳ３１７：ＮＯ）、表示制御部２１７は、現在表示している画像をそのまま表示する制御を行う（ステップＳ３１８）。一方、表示要求を受け付けた場合（ステップＳ３１７：ＹＥＳ）、表示制御部２１７は、要求された画像は表示装置２００のメモリ上に存在するかどうかを確認する（ステップＳ３１９）。要求された画像がメモリ上に存在する場合（ステップＳ３１９：ＹＥＳ）、処理は上述のステップＳ３１６に移行する。要求された画像がメモリ上に存在しない場合（ステップＳ３１９：ＮＯ）、処理は、上述のステップＳ３１３に移行する。
【００９２】
また、上述のステップＳ３１３において、メモリに空きが無い場合（ステップＳ３１３：ＮＯ）、通信部２１４は、メモリ上にデータが１ページ分受信されているかどうかを確認する（ステップＳ３２０）。受信されていない場合（ステップＳ３２０：ＮＯ）、処理は終了する。受信されている場合（ステップＳ３２０：ＹＥＳ）、表示制御部２１７は、その受信データを表示する制御を行う（ステップＳ３２１）。なお、ステップＳ３２１の後の処理内容は、上述のステップＳ３１８となる。
【００９３】
また、上述のステップＳ３１２において、複合機１００から通知された送信設定の内容が、ページ単位で送信する設定、文書単位で送信する設定、および、全文書で送信する設定のうちの何れの送信設定でもない場合（ステップＳ３１２：ＮＯ）、つまり、ここでは、複合機１００から通知された送信設定の内容が、スペック適応送信である場合、受信設定部２１６は、全データを受信するように受信設定を行う。スペック適応送信であれば、複合機１００からのデータは表示装置２００のメモリに全て収まるように変換されているためである。そして、通信部２１４は、全データを受信する（ステップＳ３２２）。次に、表示制御部２１７は、ユーザにより指定された画像を表示する制御を行う（ステップＳ３２３）。次に、表示制御部２１７は、ユーザにより指定された画像を表示する要求（表示要求）を受け付けたか否かを確認する（ステップＳ３２４）。表示要求を受け付けた場合（ステップＳ３２４：ＹＥＳ）、処理は上述のステップＳ３２３に移行する。一方、表示要求を受け付けていない場合（ステップＳ３２４：ＮＯ）、表示制御部２１７は、現在表示している画像をそのまま表示する制御を行う（ステップＳ３２５）。
【００９４】
図４１は、電源ＯＮ時から複合機１００と表示装置２００との間のデータ送受信の例を示すシーケンス図である。起動時の初期化処理により、複合機１００と表示装置２００とが通信可能に接続され、表示装置２００は表示設定を行う（ステップＳ１０００）。そして、複合機１００は、表示装置２００に対して、第１情報および表示設定を要求し（ステップＳ１００１）、表示装置２００は、その要求に対する応答として、第１情報および表示設定を送信する（ステップＳ１００２）。複合機１００は、受信した表示設定に応じて、送信設定を行う（ステップＳ１００３）。また、複合機１００は、表示装置２００から受信した第１情報と、自身の特性を示す第２情報とに基づいて、入力画像データを、表示装置２００の特性に合わせた表示用画像データに変換するためのパラメータを示す最適変換設定情報（第３情報）を求める（ステップＳ１００４）。次に、複合機１００は、変換設定情報を用いて、表示装置２００に表示させるための画像データを生成する（ステップＳ１００５）。
【００９５】
次に、複合機１００は、画像データの送信通知を行う（ステップＳ１００６）。これにより、表示装置２００は、複合機１００で作成された画像内容、ページ数、受信数を把握することができる。また、複合機１００は、送信設定の内容通知を行う（ステップＳ１００７）。表示装置２００は、通知された送信設定の内容に応じて受信設定を行い（ステップＳ１００８）、データ受信の許可通知を行う（ステップＳ１００９）。データ受信の許可通知を受信した複合機１００は、画像データの送信を開始する（ステップＳ１０１０）。表示装置２００は、正常にデータを受信できた場合は、複合機１００に対して受信成功通知を行う（ステップＳ１０１１）。もし、メモリ上に展開ができない等の問題が発生したら、表示装置２００は、送信途中で受信不可を複合機１００に通知する。なお、上述したように、データ送信はユーザが選択した送信設定に応じて送信する。それ以降に表示装置２００のメモリ上にない画像を表示する場合は、その都度、表示装置２００は、複合機１００に対して画像を要求し、要求した画像を受信して、表示することができる。
【００９６】
以上に説明したように、本実施形態では、１以上の表示装置２００と接続可能な複合機１００は、表示装置２００の特性を示す第１情報を取得し、取得した第１情報に基づいて、複合機１００が有する入力画像データを、表示装置２００の特性に合わせた表示用画像データに変換することができるので、ＰＣを介さずに、表示装置２００の特性に合わせた画像を表示装置２００に出力することができる。
【００９７】
以上、本発明の実施形態を説明したが、上述の実施形態は、例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００９８】
なお、上述の制御装置２が実行するプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９９】
さらに、上述の制御装置２が実行するプログラムを、インターネット等のネットワークに接続されたコンピュータ上に格納し、ネットワーク経由でダウンロードさせることにより提供するように構成してもよい。また、上述の制御装置２が実行する制御プログラムをインターネット等のネットワーク経由で提供または配布するように構成してもよい。
【符号の説明】
【０１００】
１  操作表示部
２  制御装置
３  １次記憶装置
４  ２次記憶装置
５  画像入力装置
６  画像出力装置
７  外部通信装置
８  画像変換装置
９  自機スペック情報格納部
１０  汎用メディア入出力装置
１１  編集装置
１２  動画変換装置
１３  解読装置
１００  複合機
１０１  受付部
１０２  画像入力処理部
１０３  自機スペック情報設定部
１０４  取得部
１０５  変換設定部
１０６  変換部
１０７  記憶部
１０８  通信部
１０９  送信設定部
１１０  解読部
１１１  編集部
２００  表示装置
２０１  操作部
２０２  制御装置
２０３  １次記憶装置
２０４  画像表示装置
２０５  外部通信装置
２０６  自機スペック情報格納部
２０７  汎用メディア入出力装置
２１１  受付部
２１２  設定部
２１３  記憶部
２１４  通信部
２１５  送信設定部
２１６  受信設定部
２１７  表示制御部
【先行技術文献】
【特許文献】
【０１０１】
【特許文献１】特開２００３−３４８２６９号公報
【図１】
2014127867.tif 000003
【図２】
2014127867.tif 000004
【図３】
2014127867.tif 000005
【図４】
2014127867.tif 000006
【図５】
2014127867.tif 000007
【図６】
2014127867.tif 000008
【図７】
2014127867.tif 000009
【図８】
2014127867.tif 000010
【図９】
2014127867.tif 000011
【図１０】
2014127867.tif 000012
【図１１】
2014127867.tif 000013
【図１２】
2014127867.tif 000014
【図１３】
2014127867.tif 000015
【図１４】
2014127867.tif 000016
【図１５】
2014127867.tif 000017
【図１６】
2014127867.tif 000018
【図１７】
2014127867.tif 000019
【図１８】
2014127867.tif 000020
【図１９】
2014127867.tif 000021
【図２０】
2014127867.tif 000022
【図２１】
2014127867.tif 000023
【図２２】
2014127867.tif 000024
【図２３】
2014127867.tif 000025
【図２４】
2014127867.tif 000026
【図２５】
2014127867.tif 000027
【図２６】
2014127867.tif 000028
【図２７】
2014127867.tif 000029
【図２８】
2014127867.tif 000030
【図２９】
2014127867.tif 000031
【図３０】
2014127867.tif 000032
【図３１】
2014127867.tif 000033
【図３２】
2014127867.tif 000034
【図３３】
2014127867.tif 000035
【図３４】
2014127867.tif 000036
【図３５】
2014127867.tif 000037
【図３６】
2014127867.tif 000038
【図３７】
2014127867.tif 000039
【図３８】
2014127867.tif 000040
【図３９】
2014127867.tif 000041
【図４０】
2014127867.tif 000042
【図４１】
2014127867.tif 000043